(57)【特許請求の範囲】
【請求項１】
組立式ドームハウスにおいて、
ドームの上端の中央に備えられてドームの天井をなす天井パネル（５０）；および
前記天井パネル（５０）の周りに沿って一定の間隔で等分した形態で形成されてドームの外壁を形成し、それぞれ一定の曲率を有し前後に互いに離隔した前面板（１１）および背面板（１２）と、この前後に互いに離隔した前面板（１１）と背面板（１２）の縁を連結する帯状の側板（１３）が一体となるように、樹脂で成形されて内部に中空部（１４）が一体に形成された複数個のセグメントパネル（１０）；を含み、
前記セグメントパネル（１０）は下端が底に固定されドームの全高（ｈ）の１／２以上の高さ（ｈ１）となる下部セグメントパネル（２０）と、下端が前記下部セグメントパネル（２０）と結合され上端が天井パネル（５０）に結合されるものの、高さ（ｈ２）が下部セグメントパネル（２０）の高さ（ｈ１）に比べて相対的に短く形成された上部セグメントパネル（４０）で構成され、前記セグメントパネル（１０）のうち少なくとも下部セグメントパネル（２０）の背面板（１２）には、内側に凹み上下に延びた補強リブ（６０）が備えられ、
前記セグメントパネル（１０）のうち少なくとも下部セグメントパネル（２０）の側面部には隣接した下部セグメントパネル（２０）の側面部と結合される側面結合部（２１、２５）が備えられるものの、
前記側面結合部（２１、２５）は下部セグメントパネル（２０）の前面板（１１）から側方に突出し、背面にはそれぞれ下部セグメントパネル（２０）の上端から下端まで上下に延びた第１結合溝（２２）および第１結合突起（２３）が突出方向に沿って順次形成され、前記第１結合突起（２３）には複数個の第１ボルト孔（２４）が上下に離隔形成された第１側面結合部（２１）；および前記下部セグメントパネル（２０）の背面板（１２）から側方に突出し、前面には前記第１側面結合部（２１）の第１結合突起（２３）および第１結合溝（２２）とそれぞれ結合されて
【化１】
0006978807.tif 000002
形状の結合断面を形成する第２結合溝（２６）および第２結合突起（２７）がそれぞれ下部セグメントパネル（２０）の上端から下端まで上下に延び、前記第２結合溝（２６）には前後に貫通し第１側面結合部（２１）の第１ボルト孔（２４）と整列する複数個の第２ボルト孔（２８）が上下に離隔形成された第２側面結合部（２５）；からなり、
前記第２側面結合部（２５）の第２結合突起（２７）の外側端（２５ａ）には、前記第２ボルト孔（２８）の周囲に沿って側方に突出する円弧形状の側面突出部（２５ｂ）が形成され、前記第１側面結合部（２１）の第１結合溝（２２）の一側の内壁（２１ａ）には、前記第２側面結合部（２５）の第２結合突起（２７）の側面突出部（２５ｂ）と整合する形態でなされた側面溝部（２１ｂ）が形成されることを特徴とする、組立式ドームハウス。
【請求項２】
前記側面突出部（２５ｂ）には後方に行くほど側方に突出する傾斜面（２７ａ）が形成され、前記側面溝部（２１ｂ）には前記側面突出部（２５ｂ）の傾斜面（２７ａ）と整合する形態で形成された傾斜支持部（２２ａ）が形成されたことを特徴とする、請求項１に記載の組立式ドームハウス。
【請求項３】
前記下部セグメントパネル（２０）には下端で内向きに突出し下部セグメントパネル（２０）の曲面に沿って水平延長され、上面には底面１に固定される固定部材（３２）が結合される結合孔（３１）が上下に貫通した下端固定バー（３０）；および
背面板（１２）の上端で上向きに突出し前後に貫通した複数個のボルト孔（３４）と、このボルト孔（３４）の間に形成された嵌合突起または嵌合溝（３５）を含む上端結合部（３３）；がさらに備えられ、
前記上部セグメントパネル（４０）には前面板（１１）の下端で下向きに突出し前記下部セグメントパネル（２０）の上端結合部（３３）のボルト孔（３４）と整列する複数個のボルト孔（４２）と、このボルト孔（４２）の間に前記下部セグメントパネル（２０）の上端結合部（３３）の嵌合突起または嵌合溝（３５）に嵌め込まれる嵌合溝または嵌合突起（４３）を含む下端結合部（４１）；および
背面板（１２）の上端で上向きに突出して前記天井パネル（５０）が結合される天井結合部(４５)；がさらに備えられたことを特徴とする、請求項１または請求項２に記載の組立式ドームハウス。
【請求項４】
前記セグメントパネル（１０）の凹んだ補強リブ（６０）の内部にはナット体（７０）がインサート成形されるかまたはセグメントパネル（１０）と樹脂で一体に成形されたことを特徴とする、請求項１または請求項２に記載の組立式ドームハウス。
【請求項５】
組立式ドームハウスにおいて、
前後に互いに離隔した前面板および背面板と、この前後に互いに離隔した前面板と背面板の縁を連結する側板が一体となるように成形されて内部に中空部が一体に形成された複数個のセグメントパネル；を含み、
前記セグメントパネルの側面部には隣接したセグメントパネルの側面部と結合される側面結合部が備えられるものの、
前記側面結合部は、
前記セグメントパネルの前面板から側方に突出し、背面にはそれぞれセグメントパネルの上端から下端まで上下に延びた第１結合溝および第１結合突起が突出方向に沿って順次形成され、前記第１結合突起には複数個の第１ボルト孔が上下に離隔形成された第１側面結合部；および
前記セグメントパネルの背面板から側方に突出し、前面には前記第１側面結合部の第１結合突起および第１結合溝とそれぞれ結合されて
【化２】
0006978807.tif 000003
形状の結合断面を形成する第２結合溝および第２結合突起がそれぞれセグメントパネルの上端から下端まで上下に延び、前記第２結合溝には前後に貫通し第１側面結合部の第１ボルト孔と整列する複数個の第２ボルト孔が上下に離隔形成された第２側面結合部；
で構成され、
前記第２側面結合部の第２結合突起の外側端には、前記第２ボルト孔の周囲に沿って側方に突出する円弧形状の側面突出部が形成され、前記第１側面結合部の第１結合溝の一側の内壁には、前記第２側面結合部の第２結合突起の側面突出部と整合する形態でなされた側面溝部が形成されることを特徴とする、組立式ドームハウス。
【発明の詳細な説明】
【技術分野】
【０００１】
本発明は組立式ドームハウスに関し、より詳細にはキャンピングなどで就寝のために設けられる組立式ドームハウスに関する。
【背景技術】
【０００２】
一般に野外型の宿泊施設としては木材を利用したバンガローや布を利用したテントが主に利用されてきた。ところが、バンガローは木材を組み立てる時に別途の金属材のアングルやブラケットを使わなければならないため、設置が煩雑であり多くの時間が要される問題がある。また、バンガローはこのように設置が複雑であるため解体も複雑であり、解体せずにそのまま放置することになるので空間活用度に劣っている。そして、テントは設置が簡単で解体が容易であるため空間活用度に優れている長所があるものの、外力によって形態が容易に変形するため構造的に堅固でない問題がある。
【０００３】
このような問題を解決した野外型宿泊施設として、樹脂製のパネルからなるドーム構造物が提案されたことがある。このようなドーム構造物は、樹脂製のパネルからなっておりバンガローに比べて軽量であるため設置および解体が容易であり、テントに比べて構造的に堅固であるため最近使用が増加している趨勢である。このようなドーム構造物は、ドーム状の周り方向を一定の間隔で等分した形態であり、上下左右に一定の曲率を有する外周面が形成された多数のセグメントパネルと、このセグメントパネルが結合される時に露出する天井部位をカバーする天井パネルからなる。
【０００４】
ところが、従来のドーム構造物はセグメントパネルが上下方向に一定の曲率で曲がるため、天井パネルの重さ、風圧、積雪などの荷重に脆弱な問題がある。これに伴い、セグメントパネルが前記のような荷重によって損傷したり破損する恐れがあるため、ドーム構造物の構造的安全性が低下する問題がある。また、セグメントパネルの施工便宜性のためにセグメントパネルを複数個に上下に分割して組み立てる場合、荷重にさらに脆弱な組立部位の数が増加して前記の問題がさらに増大する。この時、前記問題を解決するために組立部位をなくした単一の胴体のセグメントパネルを使う場合、上下の長さが長くて保管および運搬が容易でなく、施工のために作業者が把持することも容易でない問題がある。
【発明の概要】
【発明が解決しようとする課題】
【０００５】
本発明は前述したような問題点を解決するためのものであって、本発明の目的は、各種の荷重をより堅固に支持できることにより、構造的安全性が向上しながらも設置便宜性が向上し、保管および運搬も容易であり、併せて内部空間に棚などの家具を手軽に設置することができ、家具の設置空間を減らして内部空間の活用度を高めることができ、別途の断熱材を施工せずとも断熱性が優秀な組立式ドームハウスを提供することにある。
【課題を解決するための手段】
【０００６】
本発明の特徴によると、組立式ドームハウスにおいて、前記ドームの上端の中央部を除いた周面を周り方向に沿って一定の間隔で等分した形態であり、それぞれ一定の曲率を有し前後に離隔した前面板１１および背面板１２と、この前面板１１と背面板１２の縁を連結する帯状の側板１３が一体となるように、樹脂で成形されて内部に中空部１４が形成された複数個のセグメントパネル１０；および前記ドームの上端の中央部をカバーし前記セグメントパネル１０の上端に結合される天井パネル５０；を含み、前記セグメントパネル１０は下端が底に固定されドームの全高ｈの１／２以上の高さｈ１となる下部セグメントパネル２０と、下端が前記下部セグメントパネル２０に結合され上端が前記天井パネル５０に結合されるものの、高さｈ２が下部セグメントパネル２０の高さｈ１に比べて相対的に短く形成された上部セグメントパネル４０で構成され、前記セグメントパネル１０のうち少なくとも下部セグメントパネル２０の背面板１２には、内側に凹み上下に延びた補強リブ６０が備えられたことを特徴とする組立式ドームハウスが提供される。
【０００７】
本発明の他の特徴によると、前記セグメントパネル１０のうち少なくとも下部セグメントパネル２０の側面部には、隣接した下部セグメントパネル１０の側面部と結合される側面結合部２１、２５が備えられ、前記側面結合部２１、２５は下部セグメントパネル２０の前面板１１で側方に突出し背面にはそれぞれ上下に延びた第１結合溝２２および第１結合突起２３が突出方向に沿って順次形成され、前記第１結合突起２３には複数個の第１ボルト孔２４が上下に離隔して形成された第１側面結合部２１；および前記下部セグメントパネル２０の背面板１２で側方に突出し前面には前記第１側面結合部２１の第１結合突起２３および第１結合溝２２とそれぞれ結合される第２結合溝２６および第２結合突起２７がそれぞれ上下に延び、前記第２結合溝２６には前後に貫通し第１側面結合部２１の第１ボルト孔２４と整列する複数個の第２ボルト孔２８が上下に離隔して形成された第２側面結合部２５；からなるものの、下部セグメントパネル２０の両側面部に同一形状の側面結合部２１、２５が形成されるかまたは互いに異なる形状の側面結合部２１、２５が形成され、前記第２側面結合部２５の第２結合突起２７の外側端には後方に行くほど側方に突出する傾斜面２７ａが形成され、前記第１側面結合部２１の第１結合溝２２の一側の内壁には前記第２側面結合部２５の第２結合突起２７の傾斜面２７ａと整合する形態で形成された傾斜支持部２２ａが形成されたことを特徴とする組立式ドームハウスが提供される。
【０００８】
本発明のさらに他の特徴によると、前記下部セグメントパネル２０には下端で内向きに突出し下部セグメントパネル２０の曲面に沿って水平延長され、上面には底面１に固定される固定部材３２が結合される結合孔３１が上下に貫通した下端固定バー３０；および背面板１２の上端で上向きに突出し前後に貫通した複数個のボルト孔３４と、このボルト孔３４の間に形成された嵌合突起または嵌合溝３５を含む上端結合部３３；がさらに備えられ、前記上部セグメントパネル４０には前面板１１の下端で下向きに突出し前記下部セグメントパネル２０の上端結合部３３のボルト孔３４と整列する複数個のボルト孔４２と、このボルト孔４２の間に前記下部セグメントパネル２０の上端結合部３３の嵌合突起または嵌合溝３５に嵌め込まれる嵌合溝または嵌合突起４３を含む下端結合部４１；および背面板１２の上端で上向きに突出して前記天井パネル５０が結合される天井結合部４５；がさらに備えられたことを特徴とする組立式ドームハウスが提供される。
【０００９】
本発明のさらに他の特徴によると、前記セグメントパネル１０の凹んだ補強リブ６０の内部にはナット体７０がインサート成形されるかまたはセグメントパネル１０と樹脂で一体に成形されたことを特徴とする組立式ドームハウスが提供される。
【発明の効果】
【００１０】
以上でのように、本発明によると、ドームハウスのセグメントパネル１０の内側面に上下に延びた補強リブ６０が形成されて構造的により堅固であるため、屋根パネル５０や積雪などの荷重に対してもドームハウスの構造的安全性が向上する。この時、セグメントパネル１０を上部セグメントパネル４０と下部セグメントパネル２０の２個に分割して、単一の胴体に比べて保管、運搬および設置が容易であり、３個以上に分割されたものに比べて脆弱な箇所である組立部位が減って構造的により堅固である。さらに、上部セグメントパネル４０に比べて相対的に荷重をより多く受ける下部セグメントパネル２０の高さｈ１がドームの全高ｈの１／２以上となるため、ドームが構造的により一層堅固である。一方、セグメントパネル１０に中空部１４が形成されて比較的軽量でありながらも断熱性が向上するため、別途の断熱材の設置作業が要求されず、外観がきれいで設置便宜性が向上しつつも断熱効果を得ることができる。
【００１１】
そして、隣接したセグメントパネル１０の側面部に互いに噛み合う第１および第２側面結合部２１、２５が形成されて組立便宜性が向上する。この時、第２側面結合部２５および第１側面結合部２１に傾斜面２７ａおよび傾斜支持部２２ａが形成されて、第２側面結合部２５を第１側面結合部２１により容易に挿入結合させることができるため、組立便宜性がさらに向上する。また、上部セグメントパネル４０の下端結合部４１の嵌合突起４３が下部セグメントパネル２０の上端結合部３３の嵌合溝３５に嵌め込まれて互いに係止するため、ボルティングを容易にでき、組立便宜性がより一層向上する。
【００１２】
一方、前記補強リブ６０がセグメントパネル１０の内側面に凹むように形成されるため、ドームハウスの内側面がきれいで美麗であり、電子機器の電線などを補強リブ６０に挿入隠蔽させて空間活用度を高めることができる。特に、補強リブ６０の内部にナット体７０を埋め込みまたは一体に成形して、棚などの家具をボルト７１を利用してドームの内側面のナット体７０に固定させるため、棚設置のためにドームの内側面にドリルで穴を開けたり槌で釘を打ち込む作業が要求されないため設置便宜性が向上し、ドームハウスのセグメントパネル１０が損傷することが防止される。また、棚やテーブル９０等をドームの内側面のナット体７０にボルト７１を利用して折り畳み式に設置することによってドームハウスの内部空間の活用度を高めることができる。
【図面の簡単な説明】
【００１３】
【図１】本発明に係る組立式ドームハウスの一実施例を図示した斜視図。
【００１４】
【図２】前記実施例の下部セグメントパネルの分解斜視図。
【００１５】
【図３】前記実施例の下部セグメントパネルの組立状態を示した平断面図。
【００１６】
【図４】前記実施例の上部および下部セグメントパネルの分解斜視図。
【００１７】
【図５】前記実施例の側断面図。
【発明を実施するための形態】
【００１８】
前述した本発明の目的、特徴および長所は下記の詳細な説明を通じてより明確となるであろう。以下、本発明の好ましい実施例を添付した図面に基づいて説明すれば次の通りである。
【００１９】
図１〜図５は本発明の一実施例に係る組立式ドームハウスを図示した図面である。図示された通り、本発明の一実施例に係る組立式ドームハウスは、上端の中央部を除いたドームハウスの周面を周り方向に沿って一定の間隔で等分した形態であり、一定の曲率を有する外周面が形成された複数個のセグメントパネル１０と、前記ドームハウスの上端の中央部をカバーし縁がセグメントパネル１０の上端に結合される天井パネル５０を含んで構成される。
【００２０】
前記セグメントパネル１０はドームの上端の中央部を除いた周面を形成するものであって、図２および図３のように一定の曲率を有して前後に離隔した前面板１１および背面板１２と、この前面板１１と背面板１２の縁を連結する帯状の側板１３が一体となるように、樹脂で成形される。これによって、セグメントパネル１０の内部に中空部１４が形成されて、比較的軽量でありながらも断熱性が向上するため別途の断熱材を設置する必要がなく、断熱材の設置作業が要求されないため設置便宜性が向上し、断熱材がドームハウスの内側面にそのまま露出することが防止される。
【００２１】
そして、図２のようにセグメントパネル１０の背面板１２には複数個の補強リブ６０が内側に凹んで上下に延び、図１および図３のように前面板１１には補助補強リブ６１が外部に膨らんで突出して上下に延びる。これに伴い、ドームハウスが構造的により堅固である。一方、内側に凹んだ補強リブ６０の内部にはボルト７１が結合されるナット体７０がセグメントパネル１０の背面板１２にインサート成形されるかまたは背面板１２と樹脂で一体に成形される。
【００２２】
図１および図４のように、セグメントパネル１０は下端が底面に固定される複数個の下部セグメントパネル２０と、この下部セグメントパネル２０の上端に結合される複数個の上部セグメントパネル４０で構成される。この時、下部セグメントパネル２０の高さｈ１がドームの全高ｈの１／２以上となり、上部セグメントパネル４０の高さｈ２より相対的に長く形成される。
【００２３】
そして図２のように、下部セグメントパネル２０の下端には下端固定バー３０が一体に内向きに突出し、下部セグメントパネル２０の曲率に沿って水平延長される。下端固定バー３０には底に結合される固定部材３２が結合される結合孔３１が上下に貫通する。また、下部セグメントパネル２０の背面板１２の上端には水平補強リブ６２が形成される。これに伴い、下部セグメントパネル２０の上端および下端にそれぞれ水平補強リブ６２および下端固定バー３０が一体に形成され、下部セグメントパネル２０に水平方向に作用する外力に対して構造的により堅固な長所がある。
【００２４】
一方、図４のように、下部セグメントパネル２０の上端には上部セグメントパネル４０の下端が結合される上端結合部３３が備えられる。この上端結合部３３は下部セグメントパネル２０の背面板１２の上端で上向きに突出し、前面には前後に貫通し水平離隔した複数個のボルト孔３４と、このボルト孔３４の間に上下に延びた嵌合突起または嵌合溝３５が形成される。
【００２５】
そして図４のように、上部セグメントパネル４０の下端には下部セグメントパネル２０の上端結合部３３と結合される下端結合部４１が備えられる。この下端結合部４１は上部セグメントパネル４０の前面板１１の下端で下向きに突出し、背面には下部セグメントパネル２０の上端結合部３３のボルト孔３４と整列するボルト孔４２と、下部セグメントパネル２０の上端結合部３３の嵌合突起または嵌合溝３５に嵌め込まれる嵌合溝または嵌合突起４３と、ボルト孔４２より上側に位置し下部セグメントパネル２０の上端結合部３３の上端が係止される内向き係止段４４が形成される。
【００２６】
一方、図４のように上部セグメントパネル４０の上端には前記天井パネル５０が結合される天井結合部４５が備えられる。この天井結合部４５は上部セグメントパネル４０の背面板１２の上端で上向きに突出し、前面にはボルト孔４６と、このボルト孔４６より下側に位置し前記天井パネル５０の縁が係止される外向き係止段４７が形成される。
【００２７】
図２および図３のように、下部セグメントパネル２０の両側面部には、隣接した下部セグメントパネル２０と結合される側面結合部２１、２５が形成される。この側面結合部２１、２５は相互に結合される形態の第１側面結合部２１と第２側面結合部２５で構成され、下部セグメントパネル２０の両側面部に同一形態の側面結合部２１、２５が備えられるかまたは互いに異なる形態の側面結合部２１、２５が備えられる。すなわち、下部セグメントパネル２０の両側面部に第１側面結合部２１のみ形成（Ａタイプ）されるか、前記両側面部に第２側面結合部２５のみ形成（Ｂタイプ）されるか、前記両側面部に第１側面結合部２１および第２側面結合部２５がそれぞれ形成（Ｃタイプ）され得る。本実施例では、下部セグメントパネル２０が１４個（偶数）でありＡとＢタイプが交互に配置されたものを例示した。
【００２８】
図３のように、第１側面結合部２１は下部セグメントパネル２０の前面板１１で側方に突出し、背面には第１結合溝２２および第１結合突起２３がそれぞれ突出する側方に沿って順次形成されるものの、上下に延びる。この時、第１結合突起２３には複数個の第１ボルト孔２４が上下に離隔して形成される。そして第２側面結合部２５は下部セグメントパネル２０の背面板１２で側方に突出し、前面には前記第１側面結合部２１の第１結合突起２３および第１結合溝２２とそれぞれ結合される第２結合溝２６および第２結合突起２７がそれぞれ上下に延びる。この時、第２結合溝２６には第１側面結合部２１の第１ボルト孔２４と整列され前後に貫通した複数個の第２ボルト孔２８が上下に離隔して形成される。一方、図２のように、前記第２ボルト孔２８の周囲に沿って前記第２側面結合部２５の第２結合突起２７の外側端２５ａには側方に突出する円弧形状の側面突出部２５ｂが形成され、前記第１側面結合部２１の第１結合溝２２の一側の内壁２１ａには、前記第２側面結合部２５の第２結合突起２７の側面突出部２５ｂと整合する形態でなされた側面溝部２１ｂが形成される。また、側面突出部２５ｂには後方に行くほど外側方に突出する形態の傾斜面２７ａが形成され、側面溝部２１ｂには側面突出部２５ｂの傾斜面２７ａと整合する形態の傾斜支持部２２ａが形成される。このような形態の第１および第２側面結合部２１、２５は図４のように上部セグメントパネル４０の両側面部にも形成される。
【００２９】
一方、図１のように、両側面部に第１側面結合部２１が形成された下部セグメントパネル２０の上端が、その上側に位置した上部セグメントパネル４０にヒンジ部４８を中心に回動可能に結合されて、ドームのドアの役割をすることになる。この時、下部セグメントパネル２０は両側面部に第１側面結合部２１のみ形成されたＡタイプで形成されるため、隣接した両側の下部セグメントパネル２０によって係止されずに自由に回動され得る。一方、下部セグメントパネル２０に開口部が形成されて別途のドアが備えられてもよい。そしてドームの一定の位置に備えられた下部セグメントパネル２０には窓３８が設置される開口部３７が形成される。
【００３０】
前記天井パネル５０はドームの上端の中央部をカバーし、縁が上部セグメントパネル４０の天井結合部４５に結合される。この天井パネル５０の上面には太陽光パネル８０が設置される設置溝５１が形成され、この太陽光パネル８０に図示されていない畜電池を連結して太陽光パネル８０を利用した自家発電を通じて外部電気がなくても電気を使うこともできる。
【００３１】
このように構成された本発明の一実施例に係る組立式ドームハウスの設置過程を説明すれば次の通りである。
【００３２】
まず、前記のように構成された複数個の下部セグメントパネル２０の第１および第２側面結合部２１、２５を互いに結合させる。この時、図３のように、互いに隣接した下部セグメントパネル２０の第１および第２側面結合部２１、２５を互いに結合させる時、第２側面結合部２５の傾斜面２７ａが第１側面結合部２１の傾斜支持部２２ａに密着するため、第１側面結合部２１の第１結合溝２２および第１結合突起２３と第２側面結合部２５の第２結合突起２７および第２結合溝２６がより容易に結合されて組立が容易な長所がある。そしてボルト２９を第２側面結合部２５の第２ボルト孔２８を貫通させて第１側面結合部２１の第１ボルト孔２４に結合させる。この時、図１のようにドアの役割をする下部セグメントパネル２０を除いた１３個の下部セグメントパネル２０を互いに連結して組み立て、各下部セグメントパネル２０の下端固定バー３０を底板１の上面に固定部材３２で固定させる。場合により、一つの下部セグメントパネル２０の下端固定バー３０を固定部材３２で固定させた後、他の下部セグメントパネル２０を第１および第２側面結合部２１、２５により前記固定された下部セグメントパネル２０の側面に連結して組み立て、下端固定バー３０を固定しさらに他の下部セグメントパネル２０を連結し続けていく方式も可能である。一方、底板１のために別途のシート２を設置することができる。
【００３３】
そして上部セグメントパネル４０を下部セグメントパネル２０の上端に結合させる。この時、上部セグメントパネル４０の下端結合部４１の内向き係止段４４が下部セグメントパネル２０の上端結合部３３の上端に係止された状態で下端結合部４１の嵌合突起４３を上端結合部３３の嵌合溝３５に嵌め込んでボルト３６で固定する。そうした後、天井パネル５０を上部セグメントパネル４０の天井結合部４５にボルトで固定する。一方、ドアの役割をする下部セグメントパネル２０の上端を上部セグメントパネル４０の下端にヒンジ部４８を通じて回動可能に結合する。
【００３４】
一方、図５のように、ドームハウスの内部に机、食卓、棚などを上部および下部セグメントパネル４０、２０の背面板１２に組み立てることができる。すなわち、テーブル９０の一端部に備えられたブラケット９１に備えられたボルト７１を下部セグメントパネル２０の補強リブ６０の内部に備えられたナット体７０に結合する。そしてテーブル９０の他端部に支持脚９２を具備すれば机や食卓となり得る。このように、棚などの必要な家具をドームの内側面に設置する時、ドリルで穴を開けたり槌で釘を打ち込むなどの作業が要求されないため、設置が容易でドームの内側面が損傷しない長所がある。また、テーブル９０のような家具の一端をドームの内側面に結合させてドームの内部空間をより広く使うことができる。
【００３５】
以上で説明した本発明は前述した実施例および添付された図面によって限定されるものではなく、本発明の技術的思想を逸脱しない範囲内で多様な置換、変形および変更が可能であることは本発明が属する技術分野で通常の知識を有する者に明白であろう。
【図１】
0006978807.tif 000004
【図２】
0006978807.tif 000005
【図３】
0006978807.tif 000006
【図４】
0006978807.tif 000007
【図５】
0006978807.tif 000008